(57)【要約】      （修正有）【課題】針を通してカートリッジで拾う信号を発電する際に必ず発生する電気信号とは別な物理的震動を、カートリッジからヘッドシェルに直接伝えることなく浮遊状態にしてカートリッジへの音波の影響を有益に改良する。【解決手段】レコード表面に形成された溝状の音声信号を機械的に検知し、電気信号に変換するカートリッジ１をヘッドシェル２に固定するにあたり、カートリッジ１とヘッドシェル２の間に震動情報収集体４を介在させ、震動情報収集体に接着固定したフェルト３を用いてヘッドシェル２に吊るす。震動情報収集体は、砲金４１で構成される。【選択図】図１
2019185838.tif 000002
【特許請求の範囲】
【請求項１】
レコード表面に形成された溝状の音声信号を機械的に検知し、電気信号に変換するカートリッジをヘッドシェルに固定するにあたり、カートリッジとヘッドシェルの間に震動情報収集体を介在させフェルトを用いてヘッドシェルに吊るしたことを特徴とするカートリッジ震動情報収集体。
【請求項２】
前記震動情報収集体は、砲金で構成され、前記砲金と前記カートリッジを固定し、前記砲金と前記フェルトを接着固定したことを特徴とする請求項１記載のカートリッジ震動情報収集体。
【請求項３】
前記震動情報収集体は、砲金、鉛の二層構造体で構成され、前記砲金と前記カートリッジを固定し、前記鉛と前記フェルトを接着固定したことを特徴とする請求項１記載のカートリッジ震動情報収集体。
【請求項４】
前記震動情報収集体は、第１の砲金、鉛、第２の砲金の三層構造体で構成され、前記第１の砲金と前記カートリッジを固定し、前記第２の砲金と前記フェルトを接着固定したことを特徴とする請求項１記載のカートリッジ震動情報収集体。
【請求項５】
前記震動情報収集体は、カーボンケブラー（Kevlar：登録商標）で構成され、前記カーボンケブラー（Kevlar：登録商標）と前記カートリッジを固定し、前記カーボンケブラー（Kevlar：登録商標）と前記フェルトを接着固定したことを特徴とする請求項１記載のカートリッジ震動情報収集体。
【請求項６】
前記震動情報収集体は、砲金、鉛、カーボンケブラー（Kevlar：登録商標）の三層構造体で構成され、前記砲金と前記カートリッジを固定し、前記カーボンケブラー（Kevlar：登録商標）と前記フェルトを接着固定したことを特徴とする請求項１記載のカートリッジ震動情報収集体。
【発明の詳細な説明】
【技術分野】
【０００１】
本発明は、オーディオレコードの再生装置におけるカートリッジの改良体に関する。
【背景技術】
【０００２】
レコード再生装置は、レコード表面に形成された溝状の音声信号を針を介して機械的に検知し、電気信号に変換するカートリッジと、このカートリッジをレコードの溝に追従させて移動させるトーンアームとからなり、カートリッジは、ヘッドシェルと呼ばれる取り付け部材を介して接続される。従来のカートリッジは、ヘッドシェルに直接ビスで固定、或いは、小さいボルト・ナットで固定されていた。従って、カートリッジで発電した後、電気信号はヘッドシェルコード及びトーンアーム内の配線を介してプリアンプに通電される。その電気信号とは別に物理的震動信号が存在し、それが音作りに大きく影響することが広く知られている。その物理的震動がカートリッジからヘッドシェルに伝わる毎に、供給されたエネルギーはヘッドシェルの材質、大きさ、形状等の違いがあるにも係らず供給されたエネルギーは吸収され、ヘッドシェル自体の独自の共鳴音波が発生する。その両者の複合的に融合した音波が独特な音作りを行ってきた。
【発明の概要】
【発明が解決しようとする課題】
【０００３】
カートリッジで拾う電気信号と物理的音波信号を発電する際、その震動がカートリッジからシェルに伝わる毎に、エネルギーが吸収され、又共鳴して、カートリッジから齎される予測された音波信号が欲しいところ、予期せぬ濁り、籠り、暴れ、歪み成分が与える悪影響がありました。カートリッジからの信号はシェルを取り換える毎に、シェル自体の特性に基づいて、濁ったり、籠ったり、暴れたり、歪んだりしていた。その悪い影響から逃れて、美しい澄み切ったレコード再生に有益な震動信号だけをレコード再生音として、リスナーに提供する技術課題は、美しい音楽再生を志すオーディオマニアの永遠のテーマでありました。即ち、シェルの材質や構造上の制約から逃れることは不可能であった。本発明は、上述の問題点に鑑みてなされたものであり、針を通してカートリッジで拾う信号を発電する際に必ず発生する電気信号とは別な物理的震動を、カートリッジからヘッドシェルに直接伝えることなく浮遊状態にしてカートリッジの発する音波の影響を有益に改良することを目的とする。
【課題を解決するための手段】
【０００４】
上記目的を達成するため、請求項１のカートリッジ震動情報収集体は、レコード表面に形成された溝状の音声信号を機械的に検知し、電気信号に変換するカートリッジをヘッドシェルに固定するにあたり、カートリッジとヘッドシェルの間に震動情報収集体を介在させフェルトを用いてヘッドシェルに吊るしたことを特徴とするものである。
【０００５】
また、請求項２のカートリッジ震動情報収集体は、請求項１記載のカートリッジ震動情報収集体であって、震動情報収集体は、砲金で構成され、砲金とカートリッジを固定し、砲金とフェルトを接着固定したことを特徴とするものである。
【０００６】
また、請求項３のカートリッジ震動情報収集体は、請求項１記載のカートリッジ震動情報収集体であって、震動情報収集体は、砲金、鉛の二層構造体で構成され、砲金とカートリッジを固定し、鉛とフェルトを接着固定したことを特徴とするものである。
【０００７】
また、請求項４のカートリッジ震動情報収集体は、請求項１記載のカートリッジ震動情報収集体であって、震動情報収集体は、第１の砲金、鉛、第２の砲金の三層構造体で構成され、第１の砲金とカートリッジを固定し、第２の砲金とフェルトを接着固定したことを特徴とするものである。
【０００８】
また、請求項５のカートリッジ震動情報収集体は、請求項１記載のカートリッジ震動情報収集体であって、震動情報収集体は、カーボンケブラー（Kevlar：登録商標）で構成され、カーボンケブラー（Kevlar：登録商標）とカートリッジを固定し、カーボンケブラー（Kevlar：登録商標）とフェルトを接着固定したことを特徴とするものである。
【０００９】
また、請求項６のカートリッジ震動情報収集体は、請求項１記載のカートリッジ震動情報収集体であって、震動情報収集体は、砲金、鉛、カーボンケブラー（Kevlar：登録商標）の三層構造体で構成され、砲金とカートリッジを固定し、カーボンケブラー（Kevlar：登録商標）とフェルトを接着固定したことを特徴とするものである。
【発明の効果】
【００１０】
本発明によるカートリッジ震動情報収集体によれば、レコード表面に形成された溝状の音声信号を機械的に検知し、電気信号に変換するカートリッジをヘッドシェルに固定するにあたり、カートリッジとヘッドシェルの間に震動情報収集体を介在させフェルトを用いてヘッドシェルに吊るしたので、カートリッジから発生する震動音波とリスナーが好む有益な音波に加工した震動音波をリスナーに提供するに当たり、吊るされたフェルトは浮遊状況を提供するので、殆どヘッドシェルに信号を与えない。即ち、殆ど吸収されない効果が発揮される。
【００１１】
本発明のカートリッジ震動情報収集体によれば、震動情報収集体は、砲金で構成され、砲金と記カートリッジを固定し、砲金とフェルトを接着固定したので、砲金は楽器や貨幣硬貨にも利用される金属であるが、外力として与えられた信号が砲金固有の共鳴音により、長く信号を自然減衰させる音が全部利用できる。
【００１２】
また、本発明のカートリッジ震動情報収集体によれば、震動情報収集体は、砲金、鉛の二層構造体で構成され、砲金とカートリッジを固定し、鉛とフェルトを接着固定したので、前述した砲金固有の共鳴音の過剰震動がある場合には、鉛により制震させて砲金の自然減衰状況を早める効果がある。
【００１３】
また、本発明のカートリッジ震動情報収集体によれば、震動情報収集体は、第１の砲金、鉛、第２の砲金の三層構造体で構成され、第１の砲金とカートリッジを固定し、第２の砲金とフェルトを接着固定したので、砲金の全共鳴音を分割して共鳴効果を少なく出来るばかりでなく、鉛によって更に共鳴効果をより失わせる働きがある。
【００１４】
また、本発明のカートリッジ震動情報収集体によれば、震動情報収集体は、カーボンケブラー（Kevlar：登録商標）で構成され、カーボンケブラー（Kevlar：登録商標）とカートリッジを固定し、カーボンケブラー（Kevlar：登録商標）とフェルトを接着固定したので、カーボンケブラー（Kevlar：登録商標）自体の固有性能として、外力震動に長い減衰時間と保有により、カーボン繊維特有の共鳴音を発揮するので、その特徴を有益に利用することを目的としている。ここで、ケブラー（Kevlar：登録商標）とは芳香族ポリアミド系樹脂の登録商標であり、1965年に化学者でデュポン社に勤めていたステファニー・クオレクによって発明された。1970年代初期に商業的に使用され始め、正式名称は、ポリパラフェニレン テレフタルアミドであるが、本発明ではケブラー（Kevlar：登録商標）として製品利用する。ケブラー（Kevlar：登録商標）は防弾チョッキ等にも利用されており、繊維は極めて固く、ケブラー（Kevlar：登録商標）固有の減衰力の長い共鳴音を発揮する。
【００１５】
また、本発明のカートリッジ震動情報収集体によれば、震動情報収集体は、砲金、鉛、カーボンケブラー（Kevlar：登録商標）の三層構造体で構成され、砲金とカートリッジを固定し、カーボンケブラー（Kevlar：登録商標）とフェルトを接着固定したので、前述した砲金と鉛の夫々の組み合わせた特徴に加え、更にケブラー（Kevlar：登録商標）に基づくケブラー（Kevlar：登録商標）固有の共鳴音を利用することが出来る。
【図面の簡単な説明】
【００１６】
【図１】本発明によるカートリッジ震動情報収集体の第一実施例を示す説明図である。
【図２】同じく第二実施例を示す説明図である。
【図３】同じく第三実施例を示す説明図である。
【図４】同じく第四実施例を示す説明図である。
【図５】同じく第五実施例を示す説明図である。
【発明を実施するための形態】
【実施例】
【００１７】
以下、本発明の実施の形態について説明する。レコード針から拾う信号をカートリッジで発電する際、その震動がカートリッジからヘッドシェルに伝わる毎に、エネルギーがヘッドシェルに吸収され、又、ヘッドシェル自体の独自の共鳴成分が正確な音作りに悪影響をもたらす可能性がある。その悪影響から逃れるためにヘッドシェルとカートリッジを浮かせた状態で取り付けるという独自の発想を生み出した。その発想の原点となったのは、ヘッドシェルとカートリッジの間に、カートリッジ本体が齎す震動を直接ヘッドシェルに伝えないようにするためカートリッジ震動情報収集体を介在させることである。
【００１８】
カートリッジ震動情報収集体は、銅合金、カーボンケブラー（Kevlar：登録商標）、鉛を、適宜組合せて接着したものである。ここで、銅合金として、銅に錫を１０％含有させた砲金と銅に亜鉛を３５％含有させた真鍮が知られており、真鍮の代表的なものは、五円硬貨、風鈴、金属楽器に用いられる材料として知られている。一方、砲金は代表的なものとして、十円硬貨、オリンピック銅メダル、火災警報の半鐘やお寺の鐘等に用いられているが、錫含有量を変化させることによって音響特性も変化するので、日本の鐘と欧州の鐘とは伝統的に求める音色が異なるのは、製造段階での錫の含有量の差であると観察されている。何れにおいても音響特性に優れており、残響効果が優れていると言われている。
【００１９】
音響的に優れている条件として、内部減衰率の低さが条件となる。即ち、音響学的論理としては、残響的余韻が多いという特性に着目して、本件特許出願発明では、その材料で吸収して減衰されない性質が必要であり、その材料が残響的余韻を保有する特徴を有益に利用して、その音響体を浮遊させて、澄み切った余韻の音作りに貢献させる技術的効果を発揮させるものである。即ち、弦の振動によって、発生した波動を物質内部で吸収してしまうことなく、弦の音波をボディに伝える事により、目的の音作りが出来る。列車の機械部分のハンマー検査の様に、金属の密度の変化は、音の波動に大きく影響する。要するに、音の正体は空気の振動である。空気の運動や疎密の変化を震動させて、音波が作られるのである。
【００２０】
このような材質の原理から、フェルトにより浮遊されたカートリッジと砲金、カーボンケブラー（Kevlar：登録商標）、鉛から成る震動情報収集体は、美しい音響作りのために、その材料が残響的余韻を保有する特徴を有益に利用して、その音響体を浮遊させて、澄み切った余韻の音作りに貢献させる技術的効果を発揮させるものであり、以下、具体的実施例について説明する。
【００２１】
カートリッジ震動情報収集体４は、レコード表面に形成された溝状の音声信号を機械的に検知し、電気信号に変換するカートリッジ１とカートリッジ１を固定しリードワイヤーを通して微細な電気信号をトーンアームケーブルに送るヘッドシェル２との間に介在されるものであり、カートリッジ本体が齎す震動を直接ヘッドシェルに伝えないようにフェルト３でヘッドシェルに吊るしているものであり、図１はカートリッジ震動情報収集体の第一実施例を示す説明図、図２は同じく第二実施例を示す説明図、図３は同じく第三実施例を示す説明図、図４は同じく第四実施例を示す説明図、図５は同じく第五実施例を示す説明図である。なお、図示のカートリッジは、一般的なＤＥＮＯＮ  ＤＬ−１０３系のものである。
【００２２】
図１は、カートリッジ震動情報収集体の第一実施例を示す説明図であり、カートリッジ震動情報収集体４は、砲金４１で構成され、カートリッジ１と砲金４１は取付ビス９によって固定され、カートリッジ震動情報収集体４にフェルト３を接着固定している。即ち、ヘッドシェル２からカートリッジ１が浮遊された状態となっている。本実施例では、例えばフェルト３の厚さを５ミリメートル、砲金４１の厚さを５ミリメートルとしたが、砲金４１の厚さに比例して、震動音波の往復動作の活動が激しいため、響き感が大きくかつ響きが長く、錫を含有する材質固有音の透明感が高いので、澄みきった厚い中低域を中心とする音域が供給される。
【００２３】
図２は、カートリッジ震動情報収集体の第二実施例を示す説明図であり、カートリッジ震動情報収集体５は、砲金５１、鉛５２を接着剤で固着した二層構造体であって、カートリッジ１と砲金５１は取付ビス９によって固定され、カートリッジ震動情報収集体５にフェルト３を接着固定している。即ち、ヘッドシェル２からカートリッジ１が浮遊された状態となっている。第一実施例では、響き感が大きくかつ響きが長いため、中高域が華やかに鳴り過ぎる傾向もある。第二実施例では、例えばフェルト３の厚さを５ミリメートル、砲金５１の厚さを２．５ミリメートル、鉛５２の厚さを２．５ミリメートルとしたが、鉛５２を接着することにより中高域がコントロールされ、更なる制震性を向上させ、震動エネルギーによりマスキングされて聞こえなかった微小音波信号は、超低音から微小信号まで再生することが可能となった。
【００２４】
図３は、カートリッジ震動情報収集体の第三実施例を示す説明図であり、カートリッジ震動情報収集体６は、第１の砲金６１、鉛６２、第２の砲金６３、を接着剤で固着した三層構造体であって、カートリッジ１と第１の砲金６１は取付ビス９によって固定され、カートリッジ震動情報収集体６にフェルト３を接着固定している。即ち、ヘッドシェル２からカートリッジ１が浮遊された状態となっている。第三実施例では、例えばフェルト３の厚さを５ミリメートル、第１の砲金６１の厚さを２ミリメートル、鉛６２の厚さを１ミリメートル、第２の砲金６３の厚さを２ミリメートルとし、二枚の砲金６１、６３で鉛６２を挟んだ構成であるが、砲金６２の厚さを薄くしているので、震動から得られる増幅エネルギーは比例的に小さく響き感は吸収されて小さく控えめな上、鉛６２のコントロールにより、全体的に静かな音作りである。然し、音作りへの貢献形態としては、澄み切った厚い量感再生は、再生音が拡散されて、空間合成への貢献が大きく、音が前に出てくる効果があります。その効果から情報量の観察としては、増幅エネルギーはかなり有りながらの抑制効果が働き、今迄聞き取れなかった隠れた音の発見があります。従ってソプラノ歌手の息遣いや音階の正確な発声等の微妙な音変化を聞き取りたい場合に適している。
【００２５】
図４は、カートリッジ震動情報収集体の第四実施例を示す説明図であり、カートリッジ震動情報収集体７は、カーボンケブラー（Kevlar：登録商標）７１で構成され、カートリッジ１とカーボンケブラー（Kevlar：登録商標）７１は取付ビス９によって固定され、カートリッジ震動情報収集体７にフェルト３を接着固定している。即ち、ヘッドシェル２からカートリッジ１が浮遊された状態となっている。第四実施例では、例えばフェルト３の厚さを５ミリメートル、カーボンケブラー（Kevlar：登録商標）７１の厚さを５ミリメートルとしたが、カーボンケブラー（Kevlar：登録商標）固有の共鳴音の全面的有効利用に極めて貢献するので、ケブラー（Kevlar：登録商標）がもたらす澄み切った余韻が長く続き、オーケストラの再生に求められる臨場感をもたらす優れた効果を発揮することが出来る。
【００２６】
図５は、カートリッジ震動情報収集体の第五実施例を示す説明図であり、カートリッジ震動情報収集体８は、砲金８１、鉛８２、カーボンケブラー（Kevlar：登録商標）８３で構成され、震動情報収集体８と砲金８１は取付ビス９によって固定され、カートリッジ震動情報収集体８にフェルト３を接着固定している。即ち、ヘッドシェル２からカートリッジ１が浮遊された状態となっている。第五実施例では、例えばフェルト３の厚さを５ミリメートル、砲金８１の厚さを２ミリメートル、鉛８２の厚さを１ミリメートル、カーボンケブラー（Kevlar：登録商標）８３の厚さを２ミリメートルとしたが、前述した第四実施例のケブラー（Kevlar：登録商標）の特徴が出過ぎる場合には、厚さ２ミリメートルの砲金８１、及び鉛８２を介在させることにより厚さ１ミリメートルのカーボンケブラー（Kevlar：登録商標）８３の共鳴音の勢いを抑制して静かな音響特性に加工する事が可能となる。
【００２７】
以上説明したように、本発明によれば、カートリッジ自体の固有の震動音波をフェルトの働きによってヘッドシェルで吸収されることなく、自然に発揮される上に、上述のように幾種類も構成した数々の更なる共鳴効果を付加して、レコード鑑賞音楽への有益な音響効果をもたらす極めて優れた発明である。ここで、第一の実施例から第五の実施例で説明したフェルト、砲金、鉛、カーボンケブラー（Kevlar：登録商標）の厚さは顕著な音響成果を求めた一つの実施例の数値であり、これに限定されるものではない。
【００２８】
なお、本件発明の各実施例は、ヘッドシェルとカートリッジの直付けに比べ、ヘッドシェル下の厚さと重量が多くなるので、最適水平値に設定したトーンアームは高さ調整や針圧調整を夫々の実施例毎に行なうことが望まれる。
【００２９】
更に、本件発明思想のフェルトを用いてヘッドシェルに吊るすに当たり、フェルトに代わって両面テープを考察した場合、接着部分となる厚めの粘着部や粘着部間にスポンジを介在させた両面テープに置換したとしても、制震効果は同様に得られるので、厚めの粘着部により音の吸収効果を目的とする粘着部やスポンジを介在させた両面テープを用いた場合においても本願発明の要旨に包含するものと考える。
【符号の説明】
【００３０】
１  カートリッジ
２  ヘッドシェル
３  フェルト
４  カートリッジ震動情報収集体（第一実施例）
４１  砲金
５  カートリッジ震動情報収集体（第二実施例）
５１  砲金
５２  鉛
６  カートリッジ震動情報収集体（第三実施例）
６１  第１の砲金
６２  鉛
６３  第２の砲金
７  カートリッジ震動情報収集体（第四実施例）
７１  カーボンケブラー（Kevlar：登録商標）
８  カートリッジ震動情報収集体（第五実施例）
８１  砲金
８２  鉛
８３  カーボンケブラー（Kevlar：登録商標）
９  取付ビス
【図１】
2019185838.tif 000003
【図２】
2019185838.tif 000004
【図３】
2019185838.tif 000005
【図４】
2019185838.tif 000006
【図５】
2019185838.tif 000007